(57)【特許請求の範囲】
【請求項１】
実時間よりも高速で入力する非圧縮又は低圧縮された映像信号を記憶すると共に、当該記憶した映像信号を読み出し、実時間に伸長して出力する第１の記憶手段と、
上記第１の記憶手段から出力される上記実時間に伸長された映像信号を高圧縮して記憶する第２の記憶手段と、
上記第２の記憶手段に記憶された上記高圧縮された映像信号に基づいて編集実行順序を規定した編集実行順序リストを作成することができる編集実行順序リスト作成手段と、
上記編集実行順序リスト作成手段において作成された上記編集実行順序リストに基づいて、上記第１の記憶手段に記憶された上記非圧縮又は低圧縮された映像信号を加工編集する編集実行順序リスト実行手段と
を具えることを特徴とする映像信号処理装置。
【請求項２】
上記第１の記憶手段は、入力する上記映像信号を記憶しながら当該映像信号を順次読み出し、実時間に伸長して出力する
ことを特徴とする請求項１に記載の映像信号処理装置。
【請求項３】
実時間よりも高速で入力する非圧縮又は低圧縮された映像信号を第１の記憶手段に順次記憶すると共に、当該記憶した映像信号を読み出し、実時間に伸長した後、第２の記憶手段に高圧縮して記憶する第１のステツプと、
上記第２の記憶手段に記憶した高圧縮した映像信号に基づいて編集実行順序を規定した編集実行順序リストを作成する第２のステツプと、
上記第２のステツプにおいて作成された上記編集実行順序リストに基づいて、上記第１の記憶手段に記憶した上記非圧縮又は低圧縮された映像信号を加工編集する第３のステツプと
を具えることを特徴とする映像信号処理方法。
【請求項４】
上記第１のステツプでは、
入力する上記映像信号を上記第１の記憶手段に順次記憶しながら当該映像信号を読み出し、実時間に伸長した後、上記第２の記憶手段に高圧縮して記憶する
ことを特徴とする請求項３に記載の映像信号処理方法。
【発明の詳細な説明】
【０００１】
【目次】
以下の順序で本発明を説明する。
【０００２】
発明の属する技術分野
従来の技術（図３）
発明が解決しようとする課題（図３）
課題を解決するための手段（図１及び図２）
発明の実施の形態
（１）本実施の形態によるニユース番組制作放送システムの構成（図１）
（２）デイリーサーバ３０及びクリツプサーバ３３の構成（図２）
（３）本実施の形態の動作及び効果（図１及び図２）
（４）他の実施の形態（図１及び図２）
発明の効果
【０００３】
【発明の属する技術分野】
本発明は映像信号処理装置及び映像信号処理方法に関し、例えばニユース番組制作放送システムに適用して好適なものである。
【０００４】
【従来の技術】
従来、放送局におけるニユース番組制作放送システムの１つとして、図３に示すように構成されたものがある。
【０００５】
かかる構成のニユース番組制作放送システム１においては、デイスクアレイ構成の記録再生部を有する第１及び第２のＡＶ（Audio Video ）サーバ２、３と、複数台の編集装置４Ａ〜４Ｎと、このシスムテ１全体の制御を司るシステム制御部５と、各種データが格納されたデータ記憶装置６とがネツトワーク７を介して接続されることにより構成されている。そして第１のＡＶサーバ２に、取材現場から電送回線を介して転送されてきた又は取材テープから再生された非圧縮又は低圧縮された映像音声データＤ１Ａ〜Ｄ１Ｎが複数系統で供給される。
【０００６】
このとき第１のＡＶサーバ２は、システム制御部５の制御のもとに、供給される映像音声データＤ１Ａ〜Ｄ１Ｎのなかから指定された複数系統の映像音声データＤ１（Ｄ１Ａ〜Ｄ１Ｎ）を同時取り込み、これらをそれぞれフアイル化して記録再生部の指定されたアドレス位置に格納する。
【０００７】
そしてこの第１のＡＶサーバ２内に格納された各フアイルの映像音声データＤ１は、各編集装置４Ａ〜４Ｎをそれぞれ用いて当該第１のＡＶサーバ２から複数フアイル分を同時に読み出すことができ、当該読み出した各映像音声データＤ１に基づく映像をそれぞれ編集装置４Ａ〜４Ｎにモニタ表示させることができる。
【０００８】
またオペレータは、この編集装置４Ａ〜４Ｎにモニタ表示された映像を目視確認しながら、映像音声データＤ１をどのように加工編集して放送用のニユース映像を作成するかといつた編集実行順序を規定したリスト（以下、これをＥＤＬ（Edit Decision List）と呼ぶ）を作成することができ、当該作成したＥＤＬを編集装置４Ａ〜４Ｎに登録し、これを実行させることができる。
【０００９】
実際上編集装置４Ａ〜４Ｎは、ＥＤＬの実行時、第１のＡＶサーバ２を制御することにより必要な映像音声データＤ１を読み出し、これをＥＤＬに基づいて加工編集すると共に、この編集処理により得られた映像音声データＤ２Ａ〜Ｄ２Ｎを第２のＡＶサーバ３に送出する。
【００１０】
このとき第２のＡＶサーバ３は、システム制御部５の制御のもとに、供給される編集された映像音声データＤ２Ａ〜Ｄ２Ｎを順次取り込み、これをフアイル化して記録再生部の指定されたアドレス位置に格納する。
【００１１】
そしてこの第２のＡＶサーバ３に保持された映像音声データＤ２Ａ〜Ｄ２Ｎは、この後データ記憶装置６内の管理情報に基づいて、システム制御部５の制御のもとに必要な時刻に再生、伸長されて外部のオンエア装置（図示せず）に送出され、当該オンエア装置を介して放送される。
【００１２】
このようにしてこのニユース番組制作放送システム１では、取材により得られた映像音声データＤ１Ａ〜Ｄ１Ｎを所望状態に編集して所定時間に放送することができるようになされている。
【００１３】
【発明が解決しようとする課題】
ところで上述のようなニユース番組制作放送システム１において、より多くの人が第１のＡＶサーバ２に登録された取材により得られた映像音声データＤ１Ａ〜Ｄ１Ｎの内容を確認できると共に、より多くの人員によつてＥＤＬを作成し得るようにすることができれば、ニユース番組作成作業の効率や、編集により得られるニユース映像の質を向上させ得るものと考えられる。
【００１４】
しかしながらかかる構成のニユース番組制作放送システム１においては、第１のＡＶサーバ２に接続することのできる編集装置４Ａ〜４Ｎの数が第１のＡＶサーバ２のデータ転送能力によつて決定し、システム的に編集装置４Ａ〜４Ｎの数を容易には増加させ難い問題があつた。
【００１５】
かかる問題点を解決するため、近年、取材により得られた非圧縮又は低圧縮された映像音声データをそのまま第１のＡＶサーバに記憶保持する一方、当該映像音声データを高圧縮して第２のＡＶサーバに記憶保持し、当該第２のＡＶサーバに記憶保持された高圧縮された映像音声データに基づいて当該第２のＡＶサーバに接続されたＥＤＬ作成装置によりＥＤＬを作成し、この作成されたＥＤＬに基づいて、第１のＡＶサーバに格納された映像音声データを自動編集装置により加工編集し得るようにニユース番組制作放送システムを構築することが本願特許出願人によつて考えられている。
【００１６】
このように構成されたニユース番組制作放送システムでは、従来のニユース番組制作放送システム１（図３）との比較において、従来のニユース番組制作放送システム１の第１のＡＶサーバ２と、本システムの第２のＡＶサーバとが同じデータ転送能力を有している場合に、第１のＡＶサーバ２に接続できる編集装置４Ａ〜４Ｎの数よりも多くのＥＤＬ作成装置を本システムの第２のサーバに接続でき、その分より多くの人が取材により得られた映像音声データの内容を確認できると共に、より多くの人員によつてＥＤＬを作成し得る利点がある。
【００１７】
そしてこのようなニユース番組制作放送システムにおいて、取材により得られた映像音声データを高速で取り込むことができれば、ニユース番組特有の即時性といつた要求に答えることができ、その分よりニユース番組作成作業の効率や、編集により得られるニユース映像の質を向上させ得るものと考えられる。
【００１８】
本発明は以上の点を考慮してなされたもので、番組制作作業の効率を向上させ得る映像信号処理装置及び映像信号処理方法を提案しようとするものである。
【００１９】
【課題を解決するための手段】
かかる課題を解決するため本発明においては、映像信号処理装置に、実時間よりも高速で入力する非圧縮又は低圧縮された映像信号を順次記憶すると共に、当該記憶した映像信号を読み出し、実時間に伸長して出力する第１の記憶手段と、第１の記憶手段から出力される実時間に伸長された映像信号を高圧縮して記憶する第２の記憶手段と、第２の記憶手段に記憶された高圧縮された映像信号に基づいて編集実行順序リストを作成することができる編集実行順序リスト作成手段と、作成された編集実行順序リストに基づいて、第１の記憶手段に記憶された非圧縮又は低圧縮された映像信号を加工編集する編集実行順序リスト実行手段とを設けるようにした。
【００２０】
この結果高速で入力する映像信号を取り込むことができる。またより多くの編集実行順序リスト作成装置を第２の記憶手段に接続することができ、その分より多くの人が第１及び第２の記憶手段に記憶された映像信号の内容を確認できると共に、より多くの人員によつて編集実行順序リストを作成し得るようにすることができる。
【００２１】
また本発明においては、映像信号処理方法において、実時間よりも高速で入力する非圧縮又は低圧縮された映像信号を第１の記憶手段に順次記憶すると共に、当該記憶した映像信号を読み出し、実時間に伸長した後、第２の記憶手段に高圧縮して記憶する第１のステツプと、第２の記憶手段に記憶した高圧縮した映像信号に基づいて編集実行順序を規定した編集実行順序リストを作成する第２のステツプと、第２のステツプにおいて作成された編集実行順序リストに基づいて、第１の記憶手段に記憶した上記非圧縮又は低圧縮された映像信号を加工編集する第３のステツプとを設けるようにした。
【００２２】
この結果高速で入力する映像信号を取り込むことができる。また第１及び第２の記憶手段に記憶した映像信号の内容をより多くの人が確認できると共に、より多くの人員によつて編集実行順序リストを作成し得るようにすることができる。
【００２３】
【発明の実施の形態】
以下図面について、本発明の一実施の形態を詳述する。
【００２４】
（１）本実施の形態によるニユース番組制作放送システムの構成
図１において、２０は全体として本発明を適用したニユース番組制作放送システムを示し、ＥＤＬを作成するためのオフラインＥＤＬ作成系２２と、加工編集した各映像音声データの送出時刻を規定したリスト（以下、これをオンエアリストと呼ぶ）やニユース原稿及び当該ニユース原稿の使用順序のリスト等を作成するためのオンエアリスト作成系２３と、オフラインＥＤＬ作成系２２において作成されたＥＤＬに基づいて編集処理を実行するオンライン編集送出系２４と、必要な映像音声データを保管するためのアーカイブ２５と、このニユース番組制作放送システム２０全体の制御を司るシステム制御部２６とから構成され、これらオフラインＥＤＬ作成系２２、オンエアリスト作成系２３、オンライン編集送出系２４、アーカイブ２５及びシステム制御部２６がＬＡＮ（Local Area Network）２７を介して接続されている。
【００２５】
この場合このニユース番組制作放送システム２０には、取材現場から電話回線又は衛星通信回線等の電送回線を介して転送され、又は取材テープからビデオテープレコーダにより再生された映像音声データＤ１０が複数系統で供給され、これがオンライン編集送出系２４のデイリーサーバ３０及びオフラインＥＤＬ作成系２２のエンコーダ部３２に入力する。なお以下の説明においては、各映像音声データＤ１０は非圧縮又は低圧縮（例えばＭＰＥＧ（Moving Picture Experts Group）２  ４２２プロフアイル  アツト  メインレベル規格による圧縮）されて供給されるものとする。
【００２６】
デイリーサーバ３０においては、デイスクアレイ構成の記録再生部を有する高速でのデータ入出力が可能なＡＶサーバでなり、システム制御部２６の制御のもとに、供給される各映像音声データＤ１０のなかから指定された複数系統の映像音声データＤ１０を同時に取り込み、これらをそれぞれフアイル化して記録再生部内の指定されたアドレス位置に格納する。
【００２７】
またデイリーサーバ３０は、このとき入力する映像音声データＤ１０が実時間よりも高速であつた場合には、これを記録再生部から順次読み出すと共に実時間に伸長し、得られた映像音声データＤ１１をエンコーダ部３２に送出する。
【００２８】
エンコーダ部３２は、システム制御部２６の制御のもとに、デイリーサーバ３０が取り込んだ映像音声データＤ１０が実時間速度で入力（非圧縮又は低圧縮で実時間速度）する場合には、外部から供給される当該映像音声データＤ１０を順次取り込み、これをＪＰＥＧ（Joint Photographic Experts Group）方式等の所定の圧縮方式で２〔Mbps〕程度に高能率縮符号化し、得られた高圧縮符号化データＤ１２をクリツプサーバ３３に送出する。
【００２９】
これに対してエンコーダ部３２は、デイリーサーバ３０が取り込んだ映像音声データＤ１０が実時間速度よりも高速で入力する（低圧縮で高速）場合には、デイリーサーバ３０から供給される映像音声データＤ１１を取り込み、これを上述の場合と同様に高能率縮符号化し、得られた高圧縮符号化データＤ１２をクリツプサーバ３３に送出する。
【００３０】
クリツプサーバ３３は、デイスクアレイ構成の記録再生部を有するＡＶサーバでなり、入力する高圧縮符号化データＤ１２をシステム制御部２６の制御のもとに順次取り込み、これをフアイル化して記録再生部内の指定されたアドレス位置に格納する。
【００３１】
そしてこのクリツプサーバ３３に収録された各フアイルのデータ（高圧縮符号化データＤ１２）は、当該クリツプサーバ３３に接続されたパーソナルコンピユータ構成の複数台の各ＥＤＬ作成装置３４Ａ〜３４Ｎをそれぞれ用いて読み出すことができる。
【００３２】
実際上各ＥＤＬ作成装置３４Ａ〜３４Ｎは、ＥＤＬ作成モード時、オペレータにより所望のフアイルの読み出し命令が入力されると、クリツプサーバ３３及びＬＡＮ２７を順次介してシステム制御部２６にアクセスし、当該システム制御部２６を介してクリツプサーバ３３を制御することにより、当該クリツプサーバ３３に対応するフアイルの高圧縮符号化データＤ１２を順次読み出させる。
【００３３】
またＥＤＬ作成装置３４Ａ〜３４Ｎは、このクリツプサーバ３３から読み出させた高圧縮符号化データＤ２０を復号し、得られた映像音声データに基づく映像をモニタ表示する。
【００３４】
このときオペレータは、ＥＤＬ作成装置３４Ａ〜３４Ｎを介してクリツプサーバ３３を制御し、当該クリツプサーバ３３に所望の動作（再生、巻戻し又は早送り等）を実行させることができ、またこのとき当該ＥＤＬ作成装置３４Ａ〜３４Ｎのモニタに表示された映像を目視確認しながらイン点及びアウト点等の編集に必要な各種情報を当該ＥＤＬ作成装置３０Ａ〜３０Ｎに入力するようにしてＥＤＬを作成することができる。
【００３５】
さらにＥＤＬ作成装置３４Ａ〜３４Ｎは、作成されたＥＤＬに基づいてクリツプサーバ３３から対応する高圧縮符号化データＤ２０を読み出してこれを復号し、得られた映像音声データをＥＤＬに基づいて加工編集し、編集結果をモニタ表示することができ、これにより作成したＥＤＬに基づく編集結果をオペレータ及びデイレクタ等が確認することができるようになされている。
【００３６】
そしてこのＥＤＬ作成装置３４Ａ〜３４Ｎを用いて作成されたＥＤＬのデータ（以下、これをＥＤＬデータと呼ぶ）は、当該ＥＤＬ作成装置３４Ａ〜３４Ｎからクリツプサーバ３３及びＬＡＮ２７を順次介してシステム制御部２６に転送され、当該システム制御部２６の制御のもとに外部記憶装置３５にデータベースとして登録される。
【００３７】
一方オンエアリスト作成系２３においては、パーソナルコンピユータ構成のデータベース管理装置３６と、外部記憶装置３７と、データベース管理装置３６とネツトワーク３８を介して接続された複数台のパーソナルコンピユータ３９Ａ〜３９Ｎとから構成されており、これらパーソナルコンピユータ３９Ａ〜３９Ｎを用いてオンエアリストや、各ニユース番組における各ニユース項目のアナウンサが読む原稿を作成し得るようになされている。
【００３８】
そしてこれら作成されたオンエアリスト及び原稿の各データは、データベース管理装置３６の制御のもとに外部記憶装置３７にデータベースとして登録されると共に、オンエアリストのデータ（以下、これをオンエアリストデータと呼ぶ）がＬＡＮ２７を介してシステム制御部２６に与えられ、これが外部記憶装置３５にデータベースとして登録される。
【００３９】
そしてシステム制御部２６は、この外部記憶装置３５に登録されたＥＤＬデータ及びオンエアリストデータに基づいてオンライン編集送出系２４を制御する。
【００４０】
実際上システム制御部２６は、オンライン編集送出系２４のデイリーサーバ３０と接続された複数台の自動編集装置でなるＥＤＬ実行装置４０Ａ〜４０Ｃの稼働状態を常時監視しており、いずれかのＥＤＬ実行装置４０Ａ〜４０Ｃが先行する後述の編集処理を終了すると、外部記憶装置３５に記憶されたＥＤＬデータをオンエアリストデータに基づいてオンエアの早いものを優先的に読み出し、これをＬＡＮ２７を介してそのＥＤＬ実行装置４０Ａ〜４０Ｃに送出する。
【００４１】
ＥＤＬ実行装置４０Ａ〜４０Ｃは、システム制御部２６から与えられるＥＤＬデータに基づいてデイリーサーバ３０を制御し、当該デイリーサーバ３０に格納されている非圧縮又は低圧縮された映像音声データＤ１０のなかから必要な映像音声データＤ１０を順次読み出させる。またＥＤＬ実行装置４０Ａ〜４０Ｃは、この映像音声データＤ１０が低圧縮されている場合にはこれを復号した後、この映像音声データＤ１０を与えられたＥＤＬデータに基づいて指定された状態に加工編集し、得られた映像音声データＤ１３Ａ〜Ｄ１３Ｃをそれぞれオンエアサーバ４１に送出する。
【００４２】
なおデイリーサーバ３０にはマニユアル操作の編集装置４２も接続されており、オペレータが当該編集装置４２を用いてデイリーサーバ３０に格納された映像音声データＤ１０を読み出し、加工編集することもできる。そしてこの結果得られた編集された映像音声データＤ１３Ｄがオンエアサーバ４１に送出される。
【００４３】
オンエアサーバ４１は、デイスクアレイ構成の記録再生部を有するＡＶサーバでなり、入力する映像音声データＤ１３Ａ〜Ｄ１３Ｄをシステム制御部２６の制御のもとに順次取り込み、これをフアイル化して記録再生部内の指定されたアドレス位置に格納する。
【００４４】
そしてこのオンエアサーバ４１に収録された各フアイルデータ（編集された映像音声データＤ１３Ａ〜Ｄ１３Ｄ）は、この後外部記憶装置３５に格納されたオンエアリストデータに基づいて、ＬＡＮ２７に接続されたパーソナルコンピユータ構成のオンエアターミナル４９により送出時刻が管理され、指定された時刻になるとシステム制御部２６の制御のもとにオンエアサーバ４１から読み出されて図示しない後段のオンエア装置に送出される。
【００４５】
このようにしてこのニユース番組制作放送システム２０では、オフラインＥＤＬ作成系２２において作成されたＥＤＬに基づいてオンライン編集送出系２４において非圧縮又は低圧縮された映像音声データＤ１０を用いて編集処理を実行し、得られた映像音声データＤ１３Ａ〜Ｄ１３Ｄをオンエアリストに基づいてオンエア装置に送出し得るようになされ、これにより指定された時刻に指定された状態に編集されたニユース映像及び音声を放送させることができるようになされている。
【００４６】
かかる構成に加えこのニユース番組制作放送システム２０の場合、オンライン編集送出系２４には、例えばＭＯ（Magnnet Optical ）チエンジヤ等の安価なかつ記憶容量の大きい記録再生部を有するＡＶサーバでなるニアラインサーバ４３が設けられており、システム制御部２６の制御のもとに、デイリーサーバ３０及びオンエアサーバ４１に格納された映像音声データＤ１０、Ｄ１３Ａ〜Ｄ１３Ｄをニアラインサーバ４３に転送し、これを当該ニアラインサーバ４３内に格納することができるようになされている。
【００４７】
またニアラインサーバ４３内に格納された映像音声データＤ１０、Ｄ１３Ａ〜Ｄ１３Ｄは、システム制御部２６の制御のもとに、デイリーサーバ３０に転送して当該デイリーサーバ３０内に格納することができ、これにより高価なデイスクアレイ構成のデイリーサーバ３０の記録再生部の記憶容量を増加させることなく、オンライン編集送出系２４の入力段の記憶容量を増加させ得るようになされている。
【００４８】
さらにニアラインサーバ４３は、ＳＣＳＩ（Small Computer System Interface ）等の所定のインターフエースを介してアーカイブ２５内のカートマシン４４と接続されており、システム制御部２６の制御のもとに、ニアラインサーバ４３内の映像音声データＤ１０、Ｄ１３Ａ〜Ｄ１３Ｄをアーカイブ２５内のカートマシン４４に転送し、当該映像音声データＤ１０、Ｄ１３Ａ〜Ｄ１３Ｄをこのカートマシン４４を介して磁気テープ等の所定の記録媒体に記録することができる。これによりこのニユース番組制作放送システム２０では、必要な映像音声データを資料として保管し得るようになされている。
【００４９】
このときアーカイブ２５に設置されたパーソナルコンピユータ構成のデータベース管理装置４５には、システム制御部２６からＬＡＮ２７を介してその映像音声データＤ１０、Ｄ１３Ａ〜Ｄ１３Ｄの内容に関する各種管理データが供給される。そしてこの各種管理データがデータベース管理装置４５の制御のもとに、外部記憶装置４６に与えられ、データベースとして保存される。
【００５０】
さらにこのときアーカイブ２５のデータベース管理装置４５には、システム制御部２６の制御のもとに、オンエアリスト作成系２３のデータベース管理装置３６からＬＡＮ２７を介してその映像音声データに対応する原稿データを転送させることができ、これをデータベース管理装置４５の制御のもとに外部記憶装置４６内のデータベースに登録させることもできる。
【００５１】
またアーカイブ２５内に保管された磁気テープ等の記録媒体に記録された映像音声データＤ１０、Ｄ１３Ａ〜Ｄ１３Ｄは、カートマシン４４により再生してオフラインＥＤＬ作成系２２のエンコーダ部３２及びオンライン編集送出系２４のデイリーサーバ３０に転送することができ、これにより保管した映像音声データＤ１０、Ｄ１３Ａ〜Ｄ１３Ｄを再び編集に利用することができるようになされている。
【００５２】
なおこのニユース番組制作放送システム２０の場合、ＬＡＮ２７にはパーソナルコンピユータ構成のフアイリングターミナル４７が接続されており、当該フアイリングターミナル４７を用いて、エンコーダ部３２及びデイリーサーバ３０に取り込ませる映像音声データＤ１０の指定や、当該指定した映像音声データＤ１０のフアイル名の入力、及びデイリーサーバ３０に収録され映像音声データＤ１０の内容確認を行うことができる。
【００５３】
またこのニユース番組制作放送システム２０の場合、ＬＡＮ２７にはパーソナルコンピユータ構成のＥＤＬプレビユーターミナル４８も接続されており、当該ＥＤＬプレビユーターミナル４８を用いて外部記憶装置３５内に格納されたＥＤＬデータを読み出し、当該ＥＤＬデータに基づく編集をいずれかのＥＤＬ実行装置４０Ａ〜４０Ｃに実行させて、その実行結果をそのＥＤＬ実行装置４０Ａ〜４０Ｃに接続された図示しないモニタに表示させ、スピーカから出力させることができる。
【００５４】
さらにこのニユース番組制作放送システム２０の場合、オンエアターミナル４９を用いてオンエアサーバ４１に格納された所望のフアイルデータ（編集された映像音声データＤ１３Ａ〜Ｄ１３Ｄ）を読み出し、当該フアイルデータに基づく映像及び音声をオンエアサーバ４１に接続された図示しないモニタに表示させ、スピーカから出力させることができ、これによりオペレータが実際に放送される編集されたニユース映像を放送前に事前に確認することができるようになされている。
【００５５】
（２）デイリーサーバ３０及びクリツプサーバ３３の構成
ここでデイリーサーバ３３は、図２に示すように、ＣＰＵ５０、第１及び第２のインターフエース回路５１、５２、エンコーダ５３、デイスクアレイ構成の記録再生部５４、及びそれぞれ編集装置４２（図１）又はＥＤＬ実行装置４０Ａ〜４０Ｃ（図１）と接続された第３のインターフエース回路５５Ａ〜５５Ｄがバス５６を介して接続されることにより構成されている。
【００５６】
そしてＣＰＵ５０は、第２のインターフエース回路５２及びＬＡＮ２７を順次介してシステム制御部２６と接続されており、かくしてこれら第２のインターフエース回路５２及びＬＡＮ２７を介してシステム制御部２６との間において各種情報を送受信し得るようになされている。
【００５７】
この場合第１のインターフエース回路５１は、入力する映像音声データＤ１０をＣＰＵ５４の制御のもとに順次取り込み、これをバス５６を介して記録再生部５３に送出する。
【００５８】
記録再生部５３は、供給される映像音声データＤ１０を順次取り込み、これをＣＰＵ５０の制御のもとに指定されたアドレス位置に格納する。またこのとき記録再生部５３は、この映像音声データＤ１０が実時間速度よりも高速で入力するときには、ＣＰＵ５０の制御のもとに、これを書き込みながら直ちに読み出し、これをバス５６を介してエンコーダ５３に送出する。
【００５９】
エンコーダ５３は、供給される映像音声データＤ１０を順次復号することにより実時間に伸長し、かくして得られた映像音声データＤ１１を上述のようにエンコーダ部３２に送出する。
【００６０】
そしてこの映像音声データＤ１１は、システム制御部２６の制御のもとにエンコーダ部３２に取り込まれ、順次高圧縮符号化される。そして得られた高圧縮符号化データＤ１２がクリツプサーバ３３に送出される。
【００６１】
クリツプサーバ３３においては、第１のインターフエース回路６０、ＣＰＵ６１、デイスクアレイ構成の記録再生部６２、各ＥＤＬ作成装置３４Ａ〜３４Ｎにそれぞれ対応して設けられた複数の第２のインターフエース回路６３Ａ〜６３Ｎ及び第３のインターフエース回路６４がバス６５を介して接続されることにより構成されている。
【００６２】
そしてＣＰＵ６１は、第３のインターフエース回路６４及びＬＡＮ２７を順次介してシステム制御部２６と接続されており、かくしてこれらインターフエース回路６４及びＬＡＮ２７を介してシステム制御部２６との間において各種情報を送受信し得るようになされている。
【００６３】
この場合第１のインターフエース回路６０は、エンコーダ部３２から供給される高圧縮符号化データＤ１２をＣＰＵ６１の制御のもとに順次取り込み、これをバス６５を介して記録再生部６２に送出する。また記録再生部６２は、供給される高圧縮符号化データＤ１２をＣＰＵ６１の制御のもとに順次取り込み、これを１つのフアイルとして指定されたアドレス位置に格納する。
【００６４】
そしてこの記録再生部６２に蓄えられた各フアイルデータ（高圧縮符号化データＤ１２からなる高圧縮符号化データＤ２０（図１））は、この後いずれかのＥＤＬ作成装置３４Ａ〜３４Ｎから再生要求がシステム制御部２６を介してＣＰＵ６１に与えられると、当該ＣＰＵ６１の制御のもとに記録再生部６２から読み出され、対応するＥＤＬ作成装置３４Ａ〜３４Ｎに送出される。
【００６５】
（３）本実施の形態の動作及び効果
以上の構成において、このニユース番組制作放送システム２０では、供給される映像音声データＤ１０をデイリーサーバ３０に順次格納すると共に、当該映像音声データＤ１０が実時間速度よりも高速で入力する場合にはこれをデイリーサーバ３０の記録再生部５４から読み出し、エンコーダ５３において実時間に伸長した後エンコーダ部３２に送出し、当該エンコーダ部３２において高圧縮符号化した後クリツプサーバ３３に格納する。
【００６６】
そしてこのクリツプサーバ３３に格納された高圧縮符号化された映像音声データＤ１０、Ｄ１１（高圧縮符号化データＤ１２）は、ＥＤＬ作成装置３４Ａ〜３４Ｎによつて読み出し、復号することができ、当該復号された映像音声データＤ１０に基づく映像をＥＤＬ作成装置３４Ａ〜３４Ｎにモニタ表示させることができる。またオペレータは、このモニタ表示された映像に基づいて、ＥＤＬ作成装置３４Ａ〜３４Ｎを用いてＥＤＬを作成することができる。
【００６７】
そしてこの作成されたＥＤＬに基づいてＥＤＬ実行装置４０Ａ〜４０Ｎがデイリーサーバ３０に格納された非圧縮又は低圧縮の映像音声データＤ１０を用いて編集処理を実行し、得られた映像音声データＤ１３Ａ〜Ｄ１３Ｄがオンエアサーバ４１に登録され、指定された時刻に再生されて送出される。
【００６８】
従つてこのニユース番組制作放送システム２０では、上述のように、従来のニユース番組制作放送システム１（図３）との比較において、第１のＡＶサーバ２（図３）及びクリツプサーバ３３（図１）が同じデータ転送能力を有している場合に、第１のＡＶサーバ２に接続することのできる編集装置４Ａ〜４Ｎ（図３）の数よりも多くのＥＤＬ作成装置３４Ａ〜３４Ｎをクリツプサーバ３３に接続することができ、その分より多くの人がクリツプサーバ３３及びデイリーサーバ３０に登録された取材により得られた映像音声データＤ１０の内容を確認でき、またより多くの人員によつてＥＤＬを作成することができる。
【００６９】
またこのニユース番組制作放送システム２０では、上述のように入力する映像音声データＤ１０が高速であつても取り込むことができるため、ニユース番組特有の即時性といつた要求に答えることができ、その分よりニユース番組作成作業の効率や、編集により得られるニユース映像の質を向上させることができる。
【００７０】
以上の構成によれば、供給される映像音声データＤ１０をデイリーサーバ３０に順次格納する一方、当該映像音声データＤ１０が実時間速度よりも高速で入力する場合にはデイリーサバ３０に格納した映像音声データＤ１０を読み出し、実時間に伸長し、エンコーダ部３２において高圧縮符号化してクリツプサーバ３３に格納すると共に、クリツプサーバ３３に格納された高圧縮符号化された映像音声データＤ１０（高圧縮符号化データＤ１２）に基づいてＥＤＬ作成装置３４Ａ〜３４ＮによりＥＤＬを作成し、得られたＥＤＬに基づいてデイリーサーバ３０に格納され非圧縮又は低圧縮の映像音声データＤ１０を用いてＥＤＬ実行装置４０Ａ〜４０Ｃにより編集処理を行うようにしたことにより、高速で入力する映像音声データＤ１０を取り込むことができると共に、より多くの人が取材により得られた映像音声データＤ１０の内容を確認でき、かつより多くの人員によつてＥＤＬを作成し得るようにすることができる。かくするにつき番組制作作業の効率を向上させ得るニユース番組制作放送システムを実現できる。
【００７１】
（４）他の実施の形態
なお上述の実施の形態においては、実時間よりも高速で入力する非圧縮又は低圧縮された映像音声データＤ１０を順次記憶すると共に、当該記憶した映像信号を読み出し、実時間に伸長して出力する第１の記憶手段として、図２のように構成されたデイリーサーバ３０を適用するようにした場合について述べたが、本発明はこれに限らず、この他種々の構成の記憶手段を適用できる。
【００７２】
また上述の実施の形態においては、デイリーサーバ３０から出力される実時間に伸長された映像音声データＤ１１を高圧縮して記憶する第２の記憶手段を、デコーダ部３２と、デイスクアレイ構成の記録再生部６２を有する図２のようなクリツプサーバ３３とで構成するようにした場合について述べたが、本発明はこれに限らず、この他種々の構成を適用できる。
【００７３】
さらに上述の実施の形態においては、クリツプサーバ３３に記憶保持された高圧縮された映像音声データＤ１０（高圧縮符号化データＤ２０）に基づいてＥＤＬを作成することのできる編集実行順序リスト作成手段として、パーソナルコンピユータ構成のＥＤＬ作成装置３４Ａ〜３４Ｎを適用するようにした場合について述べたが、本発明はこれに限らず、この他種々の構成のものを適用できる。
【００７４】
さらに上述の実施の形態においては、ＥＤＬ作成装置３４Ａ〜３４Ｎにおいて作成されたＥＤＬに基づいて、デイリーサーバ３０に記憶保持された非圧縮又は低圧縮された映像音声データＤ１０を加工編集する編集実行順序リスト実行手段を、このニユース番組制作放送システム２０全体の制御を司るシステム制御部２６と、複数台のＥＤＬ実行装置４０Ａ〜４０Ｃとで構成するようにした場合について述べたが、本発明はこれに限らず、例えば作成されたＥＤＬに基づいてＥＤＬ実行装置４０Ａ〜４０Ｃの稼働状態を制御する制御部をシステム制御部２６とは別体に設けるようにしても良く、編集実行順序リスト実行手段の構成としては、この他種々の構成を適用できる。
【００７５】
さらに上述の実施の形態においては、本発明をニユース番組を制作放送するためのニユース番組制作放送システム２０に適用するようにした場合について述べたが、本発明はこれに限らず、入力する映像信号を加工編集するこの他種々の映像信号処理装置に適用できる。
【００７６】
さらに上述の実施の形態においては、デイリーサーバ３０が、入力する映像音声データＤ１０が実時間速度よりも高速であつた場合に、当該映像音声データＤ１０を記録再生部５４（図２）に書き込みながら、直ちにこれを読み出し、エンコーダ５３（図２）において実時間に伸長して出力するようにした場合について述べたが、本発明はこれに限らず、デイリーサーバ３０が、入力する映像音声データＤ１０が実時間速度よりも高速であつた場合に、当該映像音声データＤ１０を全て記録再生部５４（図２）に格納した後、順次読み出し、エンコーダ５３において実時間に伸長して、得られた映像音声データＤ１１をエンコーダ部３２に送出するようにしても良い。
【００７７】
【発明の効果】
上述のように本発明によれば、映像信号処理装置に、実時間よりも高速で入力する非圧縮又は低圧縮された映像信号を順次記憶すると共に、当該記憶した映像信号を読み出し、実時間に伸長して出力する第１の記憶手段と、第１の記憶手段から出力される実時間に伸長された映像信号を高圧縮して記憶する第２の記憶手段と、第２の記憶手段に記憶された高圧縮された映像信号に基づいて編集実行順序リストを作成することができる編集実行順序リスト作成手段と、作成された編集実行順序リストに基づいて、第１の記憶手段に記憶された非圧縮又は低圧縮された映像信号を加工編集する編集実行順序リスト実行手段とを設けるようにしたことにより、高速で入力する映像信号を取り込むことができると共に、より多くの人が第１及び第２の記憶手段に記憶された映像信号の内容を確認でき、かつより多くの人員によつて編集実行順序リストを作成し得るようにすることができる。かくするにつき番組制作作業の効率を向上させ得る映像信号処理装置を実現できる。
【００７８】
また本発明によれば、映像信号処理方法において、実時間よりも高速で入力する非圧縮又は低圧縮された映像信号を第１の記憶手段に順次記憶すると共に、当該記憶した映像信号を読み出し、実時間に伸長した後、第２の記憶手段に高圧縮して記憶する第１のステツプと、第２の記憶手段に記憶した高圧縮した映像信号に基づいて編集実行順序を規定した編集実行順序リストを作成する第２のステツプと、第２のステツプにおいて作成された編集実行順序リストに基づいて、第１の記憶手段に記憶した上記非圧縮又は低圧縮された映像信号を加工編集する第３のステツプとを設けるようにしたことにより、高速で入力する映像信号を取り込むことができると共に、第１及び第２の記憶手段に記憶した映像信号の内容をより多くの人が確認でき、かつより多くの人員によつて編集実行順序リストを作成し得るようにすることができる。かくするにつき番組制作作業の効率を向上させ得る映像信号処理方法を実現できる。
【図面の簡単な説明】
【図１】本実施の形態によるニユース番組制作放送システムの全体構成を示すブロツク図である。
【図２】デイリーサーバ及びクリツプサーバの構成を示すブロツク図である。
【図３】従来のニユース番組制作放送システムの構成を示すブロツク図である。
【符号の説明】
２０……ニユース番組制作放送システム、２２……オフラインＥＤＬ作成系、２３……オンエアリスト作成系、２４……オンライン編集送出系、２５点手アーカイブ、２６……システム制御部、２７……ＬＡＮ、３０……デイリーサーバ、３１……入力バツフア装置、３２……エンコーダ部、３２Ａ〜３２Ｎ……エンコーダ、３３……クリツプサーバ、３４Ａ〜３４Ｎ……ＥＤＬ作成装置、３５……外部記憶装置、３６、４５……データベース管理装置、４０Ａ〜４０Ｃ……ＥＤＬ実行装置、４１……オンエアサーバ、４２……編集装置、４３……ニアラインサーバ、４４……カートマシン、５３……エンコーダ、５４……記録再生部、Ｄ１０、Ｄ１１、Ｄ１３Ａ〜Ｄ１３Ｄ……映像音声データ、Ｄ１２……高圧縮符号化データ。
【図１】
0003900382.tif 000002
【図２】
0003900382.tif 000003
【図３】
0003900382.tif 000004